(57)【要約】【課題】本発明は、格別な接着剤や爪を用いることなくカバーパネルを筐体に固定することができ、外観面やコスト的な面で有利となるパネル取り付け構造の提供を目的する。【解決手段】パネル取り付け構造は、開口部40が形成された上壁12を有する筐体6と、開口部40に嵌合されたカバーパネル27と、筐体6に固定された液晶表示装置26とを備えている。筐体6は、上壁12と後壁13とで規定される角部に開口する第１の開口端41aと、上壁12と前壁14とで規定される角部に開口する第２の開口端41bを有する。カバーパネル27は、第１の開口端41aに露出する第１の端面46aと、第２の開口端41bに露出する第２の端面46bと、側縁部51a,51bから突出するフランジ部52a,52bとを有する。液晶表示装置26は、フランジ部52a,52bの一端53に対応する位置に係合部36a,36bを有する。フランジ部52a,52bの一端53は係合部36a,36bに突き当たり、フランジ部52a,52bの他端54は筐体6に突き当たる。【選択図】      図６
2008060793.tif 000002
【特許請求の範囲】
【請求項１】
開口部を有する第１の壁と、上記第１の壁の一端から上記第１の壁と交差する方向に延びる第２の壁と、上記第１の壁の他端から上記第１の壁と交差する方向に延びる第３の壁と、を含み、上記開口部が上記第１の壁と上記第２の壁とで規定される角部に連続して開口する第１の開口端と、上記第１の壁と上記第３の壁とで規定される角部に連続して開口する第２の開口端とを有する筐体と、
上記開口部に嵌合され、上記第１の開口端に露出する第１の端面と、上記第２の開口端に露出する第２の端面とを有するカバーパネルと、
上記筐体に固定され、上記筐体の内側から上記カバーパネルと向かい合う内蔵部品と、を具備し、
上記カバーパネルは、上記第１の端面と上記第２の端面との間に跨る一対の側縁部と、これら側縁部から突出することで上記筐体の第１の壁と上記内蔵部品との間に介在されるフランジ部と、を有するとともに、上記内蔵部品は、上記フランジ部の一端に対応する位置に係合部を有し、
上記フランジ部の一端は、上記第１の壁と上記内蔵部品との間で上記内蔵部品の係合部に突き当たり、上記フランジ部の他端は、上記第１の壁と上記内蔵部品との間で上記筐体に突き当たることを特徴とするパネル取り付け構造。
【請求項２】
請求項１の記載において、上記カバーパネルの第１の端面は、上記第２の壁の外面と同一面上に位置し、上記カバーパネルの第２の端面は、上記第３の壁の外面と同一面上に位置することを特徴とするパネル取り付け構造。
【請求項３】
請求項１又は請求項２の記載において、上記カバーパネルは、上記筐体の開口部から露出する表面と、上記内蔵部品と向かい合う裏面とを有し、この裏面はフラットであることを特徴とするパネル取り付け構造。
【請求項４】
請求項３の記載において、上記内蔵部品は、情報を表示する表示パネルであり、上記カバーパネルは透明であることを特徴とするパネル取り付け構造。
【請求項５】
請求項３の記載において、上記カバーパネルの表面は、上記第１の壁の外面と同一面上に位置するとともに、上記カバーパネルのフランジ部は、上記第１の壁によって覆い隠されることを特徴とするパネル取り付け構造。
【請求項６】
請求項１の記載において、上記カバーパネルは、上記筐体の内側から上記第１の端面を先頭にした姿勢で上記開口部に差し込むことで、上記フランジ部の一端を上記筐体の第１の壁の内面に突き当て、このフランジ部の一端を支点として上記カバーパネルを上記開口部に向けて回動させることにより上記カバーパネルが上記筐体の内側から上記開口部に入り込み、この状態で上記カバーパネルを上記第２の端面の方向にスライドさせることで、上記カバーパネルが上記筐体の第２の壁と第３の壁との間に跨るとともに、上記フランジ部の他端が上記筐体の第３の壁に突き当たることを特徴とするパネル取り付け構造。
【請求項７】
請求項６の記載において、上記カバーパネルは、上記第１の端面を有する第１の端部と、上記第２の端面を有する第２の端部と、を含み、
上記フランジ部の一端は、上記カバーパネルの第１の端面から上記カバーパネルのスライド方向に離れているとともに、上記フランジ部の他端は、上記カバーパネルの第２の端面から上記カバーパネルのスライド方向に離れており、
上記筐体の第１の壁は、上記カバーパネルの第１の端部が摺動可能に重なる第１の支持面を有するとともに、上記筐体の第２の壁は、上記カバーパネルの第２の端部が摺動可能に重なる第２の支持面を有し、
上記カバーパネルのスライド方向に沿う上記第２の支持面の幅寸法をＷ、上記カバーパネルの第１の端面から上記フランジ部の一端までの長さ寸法をＬ１、上記カバーパネルの第２の端面から上記フランジ部の他端までの長さ寸法をＬ２、とした時、
Ｗ＋Ｌ２＜Ｌ１
の関係を満たすことを特徴とするパネル取り付け構造。
【請求項８】
請求項６又は請求項７の記載において、上記内蔵部品は、上記カバーパネルを上記第２の端面の方向にスライドさせた状態で上記筐体に固定され、この内蔵部品の係合部と上記筐体の第３の壁との間で上記フランジ部が上記カバーパネルのスライド方向に挟み込まれることを特徴とするパネル取り付け構造。
【請求項９】
請求項１の記載において、上記筐体は、上記第１ないし第３の壁を有するトップカバーと、このトップカバーが被さるベースとを含み、上記内蔵部品は上記トップカバーに固定されるとともに、上記ベースは上記トップカバーと協働して上記内蔵部品を覆うことを特徴とするパネル取り付け構造。
【請求項１０】
開口部を有する第１の壁と、上記第１の壁の一端から上記第１の壁と交差する方向に延びる第２の壁と、上記第１の壁の他端から上記第１の壁と交差する方向に延びる第３の壁と、を含み、上記開口部が上記第１の壁と上記第２の壁とで規定される角部に連続して開口する第１の開口端と、上記第１の壁と上記第３の壁とで規定される角部に連続して開口する第２の開口端とを有する筐体と、
上記第１の開口端に露出する第１の端面と、上記第２の開口端に露出する第２の端面と、上記第１の端面と上記第２の端面とを結ぶ一対の側縁部から突出するフランジ部とを有するカバーパネルと、を備え、
上記カバーパネルを上記筐体の開口部に固定するパネル取り付け方法であって、
上記カバーパネルを上記筐体の内側から上記第１の端面を先頭にした姿勢で上記開口部に差し込むことにより、上記フランジ部の一端を上記筐体の第１の壁の内面に突き当て、
上記フランジ部の一端を支点として上記カバーパネルを上記開口部に向けて回動させることにより上記カバーパネルを上記筐体の内側から上記開口部に嵌め込み、
上記カバーパネルを上記第２の端面の方向にスライドさせることで、上記カバーパネルを上記第２の壁と上記第３の壁との間に跨るように架け渡すとともに、上記フランジ部の他端を上記筐体に突き当て、
この後、上記筐体の内面に内蔵部品を固定して、この内蔵部品と上記筐体の第１の壁との間に上記フランジ部を介在させるとともに、上記内蔵部品を上記フランジ部の一端に突き当てることで、上記フランジ部を上記筐体との間で上記カバーパネルのスライド方向に挟み込むことを特徴とするパネル取り付け方法。
【請求項１１】
請求項１０の記載において、上記カバーパネルのフランジ部を上記筐体と上記内蔵部品との間で挟み込んだ時に、上記カバーパネルの第１の端面が上記第２の壁の外面と同一面上に位置するとともに、上記カバーパネルの第２の端面が上記第３の壁の外面と同一面上に位置することを特徴とするパネル取り付け方法。
【請求項１２】
開口部を有する第１の壁と、上記第１の壁の一端から上記第１の壁と交差する方向に延びる第２の壁と、上記第１の壁の他端から上記第１の壁と交差する方向に延びる第３の壁と、を含み、上記開口部が上記第１の壁と上記第２の壁とで規定される角部に連続して開口する第１の開口端と、上記第１の壁と上記第３の壁とで規定される角部に連続して開口する第２の開口端とを有する電話機本体と、
上記開口部に嵌合され、上記第１の開口端に露出する第１の端面と、上記第２の開口端に露出する第２の端面とを有する透明なカバーパネルと、
上記電話機本体に収容され、上記電話機本体の内側から上記カバーパネルと向かい合う表示面を有する表示装置と、を具備し、
上記カバーパネルは、上記第１の端面と上記第２の端面との間に跨る一対の側縁部と、これら側縁部から突出することで、上記電話機本体の第１の壁と上記表示装置との間に介在されるフランジ部と、を有するとともに、上記表示装置は、上記フランジ部の一端に対応する位置に係合部を有し、
上記フランジ部の一端は、上記第１の壁と上記表示装置との間で上記表示装置の係合部に突き当たり、上記フランジ部の他端は、上記第１の壁と上記表示装置との間で上記筐体に突き当たることを特徴とする電話機。
【請求項１３】
請求項１２の記載において、上記カバーパネルの第１の端面は、上記第２の壁の外面と同一面上に位置し、上記カバーパネルの第２の端面は、上記第３の壁の外面と同一面上に位置することを特徴とする電話機。
【請求項１４】
請求項１２又は請求項１３の記載において、上記カバーパネルは、上記電話機本体の開口部から露出する表面と、上記表示面と向かい合う裏面とを有し、この裏面はフラットであることを特徴とする電話機。
【請求項１５】
請求項１２の記載において、上記表示装置は、表示面を有する表示パネルと、この表示パネルを支持するホルダとを含み、上記ホルダは、上記電話機本体の第１の壁の内面に固定されて、この第１の壁との間で上記カバーパネルを保持することを特徴とする電話機。
【請求項１６】
請求項１５の記載において、上記ホルダは、上記係合部を有することを特徴とする電話
機。
【発明の詳細な説明】
【技術分野】
【０００１】
本発明は、例えば液晶表示パネルを覆うカバーパネルを筐体に固定するパネル取り付け構造およびパネル取り付け方法に関する。さらに、本発明は、電話機本体に液晶表示パネルを覆うカバーパネルを取り付けた電話機に関する。
【背景技術】
【０００２】
事務用あるいは家庭用の電話機は、例えば電話番号、カレンダー、時刻および発信・着信状況等を表示する表示部を備えている。
【０００３】
この種の表示部は、電話機の外郭となる筐体に収容された液晶表示パネルと、上記筐体の上面に形成された四角い開口部と、この開口部に保持枠を介して支持された透明なカバーパネルとを有している。
【０００４】
開口部は、四つの縁により取り囲まれて、筐体の上面の見やすい領域に位置している。保持枠は、カバーパネルの外周部を取り囲んで保持するとともに、上記筐体の開口部に嵌め込まれている。これにより、カバーパネルが液晶表示パネルの表示面と向かい合い、この表示面がカバーパネルを透過して電話機の外から見えるようになっている（例えば、特許文献１参照）。
【０００５】
このような従来の電話機では、筐体の上面に開口部を取り囲む縁が位置するので、カバーパネルの大きさが制限されたり、電話機の外観デザインが制約を受けることがあり得る。
【０００６】
このことから、近年、筐体の開口部を筐体の上面と側面とで規定される角部に連続して開口するように延長するとともに、カバーパネルの端面を上記筐体の上面と側面とで規定される角部から露出させ、表示部回りの意匠的効果を高めることが試されている。
【０００７】
カバーパネルの端面を筐体の外に露出させると、カバーパネルの外周部を保持枠で取り囲んで保持することができなくなる。このため、カバーパネルの端部を接着剤で直接筐体に固定したり、あるいはカバーパネルの裏面に係合爪を設けて、この係合爪を筐体に引っ掛けるといった固定方法が採用されることになる。
【特許文献１】特開２０００−３０５４７７号公報
【発明の開示】
【発明が解決しようとする課題】
【０００８】
しかしながら、カバーパネルを筐体に接着する固定方法では、カバーパネル又は筐体に接着剤を塗布する工程が必要となり、製造コストが嵩むといった問題がある。さらに、カバーパネルを筐体に直に接着してしまうと、カバーパネルを交換することができなくなる。
【０００９】
加えて、カバーパネルは、液晶表示パネルの表示面が電話機の外から見えるように透明な材料で形成されている。このため、接着剤や係合爪の部分がカバーパネルを透過して電話機の外から見えてしまい、外観的な面で好ましくないものとなる。
【００１０】
それとともに、係合爪はカバーパネルの裏面から突出するので、カバーパネルの裏面全面をフラットに仕上げることが困難となる。この結果、例えばカバーパネルの裏面の所定の領域をマスキングする必要が生じた場合に、係合爪が邪魔となってカバーパネルの裏面に印刷や塗装を施すことができなくなる。
【００１１】
したがって、カバーパネルにマスキングを施すに当っては、カバーパネルと筐体との間に専用のマスキングシートや装飾シートを介在させなくてはならない。よって、マスキングシートや装飾シートの分だけ部品点数が増大し、コスト的な面で不利な構成となるのを避けられない。
【００１２】
本発明の目的は、カバーパネルの端面を筐体に外に露出させるに当たり、格別な接着剤や爪を用いることなくカバーパネルを筐体に固定することができ、外観面やコスト的な問題を解消できるパネル取り付け構造およびパネル取り付け方法を得ることにある。
【００１３】
本発明の他の目的は、カバーパネルの端面を電話機本体の外に露出させるに当たり、格別な接着剤や爪を用いることなくカバーパネルを電話機本体に固定することができ、外観面やコスト的な問題を解消できる電話機を得ることにある。
【課題を解決するための手段】
【００１４】
上記目的を達成するため、本発明の一つの形態に係るパネル取り付け構造は、  
開口部を有する第１の壁と、上記第１の壁の一端から上記第１の壁と交差する方向に延びる第２の壁と、上記第１の壁の他端から上記第１の壁と交差する方向に延びる第３の壁と、を含み、上記開口部が上記第１の壁と上記第２の壁とで規定される角部に連続して開口する第１の開口端と、上記第１の壁と上記第３の壁とで規定される角部に連続して開口する第２の開口端とを有する筐体と、  
上記開口部に嵌合され、上記第１の開口端に露出する第１の端面と、上記第２の開口端に露出する第２の端面とを有するカバーパネルと、  
上記筐体に固定され、上記筐体の内側から上記カバーパネルと向かい合う内蔵部品と、を備えている。  
上記カバーパネルは、上記第１の端面と上記第２の端面との間に跨る一対の側縁部と、これら側縁部から突出することで上記筐体の第１の壁と上記内蔵部品との間に介在されるフランジ部と、を有するとともに、上記内蔵部品は、上記フランジ部の一端に対応する位置に係合部を有し、  
上記フランジ部の一端は、上記第１の壁と上記内蔵部品との間で上記内蔵部品の係合部に突き当たり、上記フランジ部の他端は、上記第１の壁と上記内蔵部品との間で上記筐体に突き当たることを特徴としている。
【００１５】
上記目的を達成するため、本発明の一つの形態に係るパネル取り付け方法は、  
開口部を有する第１の壁と、上記第１の壁の一端から上記第１の壁と交差する方向に延びる第２の壁と、上記第１の壁の他端から上記第１の壁と交差する方向に延びる第３の壁と、を含み、上記開口部が上記第１の壁と上記第２の壁とで規定される角部に連続して開口する第１の開口端と、上記第１の壁と上記第３の壁とで規定される角部に連続して開口する第２の開口端とを有する筐体と、  
上記第１の開口端に露出する第１の端面と、上記第２の開口端に露出する第２の端面と、上記第１の端面と上記第２の端面とを結ぶ側縁部から突出するフランジ部とを有するカバーパネルと、を備え、  
上記カバーパネルを上記筐体の開口部に固定するパネル取り付け方法であって、  
上記カバーパネルを上記筐体の内側から上記第１の端面を先頭にした姿勢で上記開口部に差し込むことにより、上記フランジ部の一端を上記筐体の第１の壁の内面に突き当て、  
上記フランジ部の一端を支点として上記カバーパネルを上記開口部に向けて回動させることにより上記カバーパネルを上記筐体の内側から上記開口部に嵌め込み、  
上記カバーパネルを上記第２の端面の方向にスライドさせることで、上記カバーパネルを上記第２の壁と上記第３の壁との間に跨るように架け渡すとともに、上記フランジ部の他端を上記筐体に突き当て、  
この後、上記筐体の内面に内蔵部品を固定して、この内蔵部品と上記筐体の第１の壁との間に上記フランジ部を介在させるとともに、上記内蔵部品を上記フランジ部の一端に突き当てることで、上記フランジ部を上記筐体との間で上記カバーパネルのスライド方向に挟み込むこと、を特徴としている。
【００１６】
さらに、本発明の一つの形態に係る電話機は、  
開口部を有する第１の壁と、上記第１の壁の一端から上記第１の壁と交差する方向に延びる第２の壁と、上記第１の壁の他端から上記第１の壁と交差する方向に延びる第３の壁と、を含み、上記開口部が上記第１の壁と上記第２の壁とで規定される角部に連続して開口する第１の開口端と、上記第１の壁と上記第３の壁とで規定される角部に連続して開口する第２の開口端とを有する電話機本体と、  
上記開口部に嵌合され、上記第１の開口端に露出する第１の端面と、上記第２の開口端に露出する第２の端面とを有する透明なカバーパネルと、  
上記電話機本体に収容され、上記電話機本体の内側から上記カバーパネルと向かい合う表示面を有する表示装置と、を備えている。  
上記カバーパネルは、上記第１の端面と上記第２の端面との間に跨る一対の側縁部と、これら側縁部から突出することで上記電話機本体の第１の壁と上記表示装置との間に介在されるフランジ部と、を有するとともに、上記表示装置は、上記フランジ部の一端に対応する位置に係合部を有し、  
上記フランジ部の一端は、上記第１の壁と上記表示装置との間で上記表示装置の係合部に突き当たり、上記フランジ部の他端は、上記第１の壁と上記表示装置との間で上記筐体に突き当たることを特徴としている。
【発明の効果】
【００１７】
本発明によれば、カバーパネルを筐体内の内蔵部品を利用して筐体に固定することができ、カバーパネルを固定するための接着剤や爪のような専用の構成要素を排除できる。そのため、カバーパネルの固定部分の外観を良好に維持できるとともに、コスト的な面でも有利な構成となる。
【００１８】
さらに、カバーパネルの裏面をフラットな面としてここに直接印刷や塗装を施すことができる。よって、例えばカバーパネルにマスキングや装飾を施すに当って、専用のマスキングシートや装飾用シートが不要となり、この点でもコストの低減に寄与する。
【発明を実施するための最良の形態】
【００１９】
以下本発明の実施の形態を、電話機に適用した図面に基づいて説明する。
【００２０】
図１および図２は、例えば事務用および家庭用等の一般的用途を想定した電話機１を開示している。電話機１は、台座２と、この台座２の上に支持された電話機本体３と、電話機本体３にコード４を介して接続されたハンドセット５とを備えている。
【００２１】
電話機本体３は、合成樹脂製の筐体６を有している。筐体６は、ベース７とトップカバー８とで構成されている。ベース７は、台座２に支持される半円筒形の脚部１０と、この脚部１０の上端に連続して形成された四角い底壁１１とを有している。
【００２２】
トップカバー８は、上壁１２、後壁１３、前壁１４および左右の側壁１５を有し、下方に向けて開口する箱状をなしている。トップカバー８の上壁１２、後壁１３および前壁１４は、夫々筐体６の第１の壁、第２の壁および第３の壁の一例となっている。後壁１３は、上壁１２の一端に位置する後端縁から下向きに延びている。前壁１４は、上壁１２の他端に位置する前縁から下向きに延びている。このため、後壁１３および前壁１４は、上壁１２と交差する方向に延びて、電話機本体３の奥行き方向に向かい合っている。
【００２３】
図３および図４に示すように、トップカバー８は、ベース７の底壁１１の上に被せられている。後壁１３、前壁１４および側壁１５の下縁部は、底壁１１の外周部に突き合わされている。ベース７の底壁１１は、その内面の四隅から上向きに突出する複数の第１のボス部１６を有している。トップカバー８の上壁１２は、その内面の四隅から下向きに突出する複数の第２のボス部１７を有している。第１のボス部１６と第２のボス部１７とは、同軸状に突き合わされるとともに、複数のねじ１８を介して連結されている。そのため、ねじ１８は、ベース７とトップカバー８とを互いに結合している。
【００２４】
図１および図２に示すように、トップカバー８の上壁１２は、筐体６の上面を構成している。この筐体６の上面に複数のダイヤルボタン２０、複数の固定機能ボタン２１および複数のフリーアサインボタン２２が配置されている。
【００２５】
さらに、筐体６の上面に第１の液晶表示部２３および第２の液晶表示部２４が設置されている。第１の液晶表示部２３は、例えば電話番号、カレンダー、時刻および発信・着信状況等を表示するためのものであり、ダイヤルボタン２０および固定機能ボタン２１と隣り合っている。
【００２６】
第２の液晶表示部２３は、例えばフリーアサインボタン２２に個々に設定した複数の外線番号２５を表示するものであって、筐体６の奥行き方向に延びている。本実施の形態によると、フリーアサインボタン２２は、第２の液晶表示部２４の幅方向に沿う両側に二列に振り分けて配置されている。
【００２７】
図６に示すように、第２の液晶表示部２４は、液晶表示装置２６およびカバーパネル２７を備えている。液晶表示装置２６は、内蔵部品の一例であって、上記筐体６の内部に収容されている。
【００２８】
液晶表示装置２６は、液晶表示パネル２８、パネルホルダ２９およびプリント回路板３０を備えている。液晶表示パネル２８は、筐体６の奥行き方向に延びる長方形状をなしている。液晶表示パネル２８は、上記外線番号２５を表示するフラットな表示面２８ａを有している。
【００２９】
パネルホルダ２９は、液晶表示パネル２８を搭載している。パネルホルダ２９は、液晶表示パネル２８の長軸方向に沿う一対の側板３１ａ，３１ｂと、液晶表示パネル２８の短軸方向に沿う一対の端板３２ａ，３２ｂとを有する枠状をなしている。側板３１ａ，３１ｂおよび端板３２ａ，３２ｂは、液晶表示パネル２８を取り囲んで保持している。さらに、パネルホルダ２９は、その四隅から下向きに突出する複数の脚部３３を有している。
【００３０】
図３ないし図５に示すように、プリント回路板３０は、ベース７の底壁１１とパネルホルダ２９との間に介在されている。プリント回路板３０の四隅部は、トップカバー８の上壁１２の内面から下向きに突出する複数の第３のボス部３４にねじ３５を介して固定されている。
【００３１】
パネルホルダ２９の脚部３３は、プリント回路板３０の上面と第３のボス部３４の下面との間に介在されて、プリント回路板３０と一緒にトップカバー８に固定されている。このため、トップカバー８が被さるベース７は、トップカバー８と協働して液晶表示装置２６を覆っている。
【００３２】
図６に示すように、パネルホルダ２９の側板３１ａ，３１ｂは、その長手方向に沿う一端に係合部３６ａ，３６ｂを有している。係合部３６ａ，３６ｂは、側板３１ａ，３１ｂの側方および上方に向けて張り出している。
【００３３】
上記カバーパネル２７は、液晶表示パネル２８の表示面２８ａを上方から覆うようにトップカバー８の上壁１２に組み込まれている。上壁１２は、液晶表示パネル２８に対応する位置に開口部４０を有している。開口部４０は、筐体６の奥行き方向に沿うように上壁１２を横断している。
【００３４】
図６に示すように、開口部４０は、その長手方向に沿う第１の開口側縁４０ａおよび第２の開口側縁４０ｂと、長手方向に離間した第１の開口端４１ａおよび第２の開口端４１ｂとを有している。
【００３５】
第１および第２の開口側縁４０ａ，４０ｂは、筐体６の幅方向に互いに間隔を存して平行に配置されている。第１の開口端４１ａは、トップカバー８の上壁１２と後壁１３とで規定される角部に連続して開口している。第２の開口端４１ｂは、トップカバー８の上壁１２と前壁１４とで規定される角部に連続して開口している。
【００３６】
このことから、トップカバー８の後壁１３は、開口部４０の第１の開口端４１ａに露出する平坦な第１の支持面４２を有している。同様に、トップカバー８の前壁１４は、開口部４０の第２の開口端４１ｂに露出する平坦な第２の支持面４３を有している。
【００３７】
カバーパネル２７は、例えば透明な合成樹脂材料により構成されている。カバーパネル２７は、トップカバー８の開口部４０にきっちりと嵌まり合うような長方形の板状をなしている。
【００３８】
図１、図２および図６に示すように、カバーパネル２７は、その長手方向に離間した第１の端部４５ａおよび第２の端部４５ｂを備えている。カバーパネル２７の第１の端部４５ａは、第１の端面４６ａを有している。第１の端面４６ａは、開口部４０の第１の開口端４１ａに露出するとともに、トップカバー８の後壁１３の外面と同一面上に位置している。
【００３９】
カバーパネル２７の第２の端部４５ｂは、第２の端面４６ｂを有している。第２の端面４６ｂは、開口部４０の第２の開口端４１ｂに露出するとともに、トップカバー８の前壁１４の外面と同一面上に位置している。
【００４０】
カバーパネル２７は、表面４７および裏面４８を有している。表面４７は、開口部４０から露出するとともに、トップカバー８の上壁１２の外面と同一面上に位置している。裏面４８は、トップカバー８の内側に位置して液晶表示パネル２８の表示面２８ａと向かい合っている。この裏面４８は、凹凸のないフラットな面となっている。
【００４１】
図２に示すように、カバーパネル２７の外周部に、液晶表示パネル２８の表示面２８ａから外れた領域を覆い隠す被覆部５０が形成されている。被覆部５０は、例えばカバーパネル２７のフラットな裏面４８に直接印刷や塗装を施すことにより形成され、カバーパネル２７を透過して見える表示面２８ａを取り囲んでいる。
【００４２】
なお、カバーパネル２７に例えば模様や文字のような装飾を施す場合、この装飾は、上記被覆部５０と同様に、カバーパネル２７のフラットな裏面４８に印刷や塗装を施すことにより形成することができる。
【００４３】
さらに、カバーパネル２７は、一対の側縁部５１ａ，５１ｂを有している。側縁部５１ａ，５１ｂは、カバーパネル２７の長手方向に延びるとともに、第１の端面４６ａと第２の端面４６ｂとの間を結んでいる。
【００４４】
カバーパネル２７の側縁部５１ａ，５１ｂに夫々フランジ部５２ａ，５２ｂが形成されている。フランジ部５２ａ，５２ｂは、カバーパネル２７の長手方向に沿って一直線状に延びているとともに、側縁部５１ａ，５１ｂの側方に突出している。
【００４５】
フランジ部５２ａ，５２ｂは、夫々一端５３と他端５４とを有している。フランジ部５２ａ，５２ｂの一端５３は、カバーパネル２７の第１の端面４６ａよりも第２の端面４６ｂの方向にずれた位置にあり、この第１の端面４６ａから離れている。フランジ部５２ａ，５２ｂの他端５４は、カバーパネル２７の第２の端面４６ｂよりも第１の端面４６ａの方向にずれた位置にあり、この第２の端面４６ｂから離れている。
【００４６】
フランジ部５２ａ，５２ｂの一端５３に側縁部５１ａ，５１ｂの側方に張り出す延出部５５が形成されている。この延出部５５の存在により、フランジ部５２ａ，５２ｂの一端５３は、他端５４よりも大きな形状を有している。
【００４７】
図５に示すように、カバーパネル２７のフランジ部５２ａ，５２ｂは、パネルホルダ２９の側板３１ａ，３１ｂと上壁１２の内面との間に介在されて、これら両者間で筐体６の厚み方向に挟み込まれている。これにより、筐体６の厚み方向および幅方向に沿うカバーパネル２７の位置決めがなされている。
【００４８】
図３および図４に示すように、カバーパネル２７のフランジ部５２ａ，５２ｂの一端５３は、パネルホルダ２９の係合部３６ａ，３６ｂに突き当たっている。さらに、フランジ部５２ａ，５２ｂの他端５４は、トップカバー８の上壁１２と前壁１４とで規定される角部の内面に突き当たっている。
【００４９】
このため、フランジ部５２ａ，５２ｂは、パネルホルダ２９の係合部３６ａ，３６ｂとトップカバー８の角部との間でカバーパネル２７の長手方向に挟み込まれている。これにより、筐体６の奥行き方向に沿うカバーパネル２７の位置決めがなされている。
【００５０】
次に、カバーパネル２７をトップカバー８に固定する手順について説明する。
【００５１】
まず、トップカバー８とベース７とを互いに分離させる。次に、図７に示すように、カバーパネル２７の第１の端面４６ａが上向きとなるようにカバーパネル２７を起立させ、このカバーパネル２７を第１の端面４６ａを先頭にした斜めの姿勢でトップカバー８の下方から開口部４０に差し込む。
【００５２】
これにより、カバーパネル２７の第１の端部４５ａが開口部４０を貫通してトップカバー８の上壁１２から突出するとともに、カバーパネル２７のフランジ部５２ａ，５２ｂの一端５３が開口部４０の第１および第２の開口側縁４０ａ，４０ｂに臨む上壁１２の内面に突き当たる。
【００５３】
この際、フランジ部５２ａ，５２ｂの一端５３は、極力開口部４０の第１の開口端４１ａに近い位置で上壁１２の内面に突き当てることが望ましい。
【００５４】
次に、図７に矢印で示すように、フランジ部５２ａ，５２ｂの一端５３を支点としてカバーパネル２７を開口部４０の方向に回動させる。この回動により、カバーパネル２７がトップカバー８の内側から開口部４０に嵌まり込むとともに、カバーパネル２７の第１の端部４５ａが開口部４０に臨む第１の支持面４２の上に重なり合う。
【００５５】
図８に示すように、トップカバー８を開口部４０に嵌め込んだ状態では、カバーパネル２７の第１の端部４５ａは、第１の開口端４１ａからトップカバー８の外に突出している。逆にカバーパネル２７の第２の端部４５ｂは、開口部４０に臨む第２の支持面４３から外れて、トップカバー８の前壁１４よりも開口部４０の内側に引っ込んでいる。
【００５６】
次に、図８に矢印で示すように、カバーパネル２７を第２の端部４５ｂの方向にスライドさせて、この第２の端部４５ｂを第２の支持面４３の上に重ねる。これにより、カバーパネル２７が後壁１３の第１の支持面４２と前壁１４の第２の支持面４３の間に跨るとともに、カバーパネル２７の表面４７が上壁１２の外面と同一面上に位置する。
【００５７】
カバーパネル２７を第２の端面４６ｂの方向にさらにスライドさせると、フランジ部５２ａ，５２ｂの他端５４がトップカバー８の上壁１２と前壁１４とで規定される角部の内面に突き当たる。フランジ部５２ａ，５２ｂの他端５４がトップカバー８の角部に突き当たった状態では、カバーパネル２７の第１の端面４６ａがトップカバー８の後壁１３の外面と同一面上に位置する。同様に、カバーパネル２７の第２の端面４６ｂがトップカバー８の前壁１４の外面と同一面上に位置する。
【００５８】
最後に、トップカバー８の第３のボス部３４にねじ３５を介してプリント回路板３０とパネルホルダ２９を一緒に固定する。この固定により、カバーパネル２７のフランジ部５２ａ，５２ｂがパネルホルダ２９の側板３１ａ，３１ｂと上壁１２の内面との間に介在されて、これら側板３１ａ，３１ｂと上壁１２との間で挟み込まれる。
【００５９】
これと同時に、パネルホルダ２９の側板３１ａ，３１ｂの一端に位置する係合部３６ａ，３６ｂがフランジ部５２ａ，５２ｂの一端５３に突き当たる。本実施の形態によると、フランジ部５２ａ，５２ｂの一端５３は、延出部５５の存在によりフランジ部５２ａ，５２ｂの他端５４よりも大きな形状を有するので、パネルホルダ２９の係合部３６ａ，３６ｂがフランジ部５２ａ，５２ｂの一端５３に確実に突き当たる。
【００６０】
この結果、カバーパネル２７のフランジ部５２ａ，５２ｂがパネルホルダ２９の係合部３６ａ，３６ｂとトップカバー８の角部との間でカバーパネル２７のスライド方向に挟み込まれる。
【００６１】
このことにより、カバーパネル２７は、トップカバー８の厚み方向、幅方向および奥行き方向に対する位置が決められた状態でトップカバー８の開口部４０に固定され、一連のカバーパネル２７の取り付け作業が完了する。
【００６２】
カバーパネル２７は、上記のようにトップカバー８の開口部４０内で回動させた後、この開口部４０内でスライドさせることで、カバーパネル２７の第１および第２の端面４６ａ，４６ｂが開口部４０の第１および第２の開口端４１ａ，４１ｂに露出するようになっている。
【００６３】
このようなカバーパネル２７の動きを可能とするためには、図６に示すように、カバーパネル２７のスライド方向に沿う第２の支持面４３の幅寸法をＷ、カバーパネル２７の第１の端面４６ａからフランジ部５２ａ，５２ｂの一端５３に至るカバーパネル２７のスライド方向に沿う長さ寸法をＬ１、カバーパネル２７の第２の端面４６ａからフランジ部５２ａ，５２ｂの他端５４に至るカバーパネル２７のスライド方向に沿う長さ寸法をＬ２とした時、
Ｗ＋Ｌ２＜Ｌ１
の関係に規定することが必須の要件となる。
【００６４】
すなわち、Ｌ１の値がＷ＋Ｌ２の値よりも小さいと、カバーパネル２７を開口部４０に向けて回動させた時に、カバーパネル２７の第２の端部４５ｂがトップカバー８の前壁１４と干渉してしまい、カバーパネル２７をトップカバー８の内側から開口部４０に嵌め込むことが不可能となる。
【００６５】
このような本発明の実施の形態によれば、カバーパネル２７のフランジ部５２ａ，５２ｂは、パネルホルダ２９の側板３１ａ，３１ｂとトップカバー８の上壁１４との間で筐体６の厚み方向に挟み込まれる。それとともに、フランジ部５２ａ，５２ｂは、トップカバー８の上壁１２と前壁１４とで規定される角部とパネルホルダ２９の係合部３６ａ，３６ｂとの間でカバーパネル２７のスライド方向に挟み込まれる。
【００６６】
これにより、筐体６の厚み方向、幅方向および奥行き方向へのカバーパネル２７の位置が定まり、このカバーパネル２７は、開口部４０に嵌め込まれた状態で筐体６のトップカバー８に固定される。
【００６７】
したがって、カバーパネル２７をパネルホルダ２９を利用してトップカバー８に固定することができ、カバーパネル２７を固定するための専用の接着剤や爪のような構成要素を排除することができる。この結果、カバーパネル２７の固定部分の外観を良好に維持できるとともに、コスト的な問題も同時に解消することができる。
【００６８】
さらに、カバーパネル２７の裏面４８に固定用の爪を設ける必要がないので、この裏面４８を凹凸のないフラットな面に仕上げることができる。このため、カバーパネル２７の裏面４８に直接印刷や塗装を施すことで、このカバーパネル２７に被覆部５０を形成することができる。よって、専用のマスキングシートや装飾用シートが不要となり、その分、部品点数を削減して、より一層のコストの低減が可能となる。
【００６９】
加えて、カバーパネル２７のフランジ部５２ａ，５２ｂは、トップカバー８の上壁１２によって覆い隠されるので、カバーパネル２７の固定部分が電話機１の外から見えることはない。このため、カバーパネル２７の第１および第２の端面４６ａ，４６ｂをトップカバー８の外に意図的に露出させたことと合わせて、カバーパネル２７回りを独創的なデザインとすることができ、第２の液晶表示部２４の意匠的効果を飛躍的に高めることができる。
【００７０】
なお、本発明は上記実施の形態に特定されるものではなく、発明の主旨を逸脱しない範囲内で種々変形して実施可能である。
【００７１】
上記実施の形態では、筐体内に収容されてカバーパネルと向かい合う内蔵部品を液晶表示装置としたが、本発明はこれに限定されない。この内蔵部品としては、例えばバッテリや着脱可能なカードでもよく、筐体の外から見えることを要件とする部品であればその種類を問わない。
【００７２】
さらに、本発明に係るパネル取り付け構造は、電話機に限らず、携帯形の情報端末機器のようなその他の電子機器であってもよい。
【図面の簡単な説明】
【００７３】
【図１】本発明の実施の形態に係る電話機の斜視図。
【図２】本発明の実施の形態に係る電話機の平面図。
【図３】図２のF3-F3線に沿う断面図。
【図４】図２のF4-F4線に沿う断面図。
【図５】図２のF5-F5線に沿う断面図。
【図６】本発明の実施の形態において、トップカバー、カバーパネル、液晶表示装置およびベースの位置関係を分解して示す斜視図。
【図７】本発明の実施の形態において、カバーパネルをトップカバーの開口部に挿入して、フランジ部の一端をトップカバーに突き当てた状態を示す斜視図。
【図８】本発明の実施の形態において、カバーパネルをトップカバーの開口部に嵌め込んだ状態を示す斜視図。
【符号の説明】
【００７４】
３…電話機本体、６…筐体、１２…第１の壁（上壁）、１３…第２の壁（後壁）、１４…第３の壁（前壁）、２６…内蔵部品（液晶表示装置）、２７…カバーパネル、３６ａ，３６ｂ…係合部、４０…開口部、４１ａ…第１の開口端、４１ｂ…第２の開口端、４６ａ…第１の端面、４６ｂ…第２の端面、５１ａ，５１ｂ…側縁部、５２ａ，５２ｂ…フランジ部。
【図１】
2008060793.tif 000003
【図２】
2008060793.tif 000004
【図３】
2008060793.tif 000005
【図４】
2008060793.tif 000006
【図５】
2008060793.tif 000007
【図６】
2008060793.tif 000008
【図７】
2008060793.tif 000009
【図８】
2008060793.tif 000010